(57)【要約】【課題】より簡単にリールに応じた係止凹部形状の変更を行え、さらに、２つ以上の形状の異なる係止凹部を設けることができるようなリールシートの係止構造を提案する。【解決手段】リールＲの取付脚Ｒ１上面を当接させる平坦面２ａを持つ載置部材２と、該載置部材２の一端側に設けられ、載置部材２の平坦面２ａに当接させた取付脚Ｒ１の一端側を係止し位置決めする固定係止部材３と、載置部材３の他端側に軸方向スライド可能且つ回動可能に設けられ、載置部材２の平坦面２ａに当接させた取付脚Ｒ１の他端側を前端部分４ｂで係止する移動係止部材４と、該移動係止部材４の後端側に設けられて移動係止部材４を載置部材２へ締め付ける雄ネジ及びナット部材５と、を備えてなり、その移動係止部材４の前端部分４ｂに２以上の形状の異なる係止凹部４ｃ，４ｄが形成されていることを特徴とする。【選択図】  図３
2006094719.tif 000002
【特許請求の範囲】
【請求項１】
リールの取付脚上面を当接させる平坦面を持つ載置部材と、該載置部材の一端側に設けられ、前記平坦面に当接させた前記取付脚の一端側を係止し位置決めする固定係止部材と、前記載置部材の他端側に軸方向スライド可能且つ回動可能に設けられ、前記平坦面に当接させた前記取付脚の他端側を前端部分で係止する移動係止部材と、該移動係止部材の後端側に設けられて前記移動係止部材を前記載置部材へ締め付ける雄ネジ及びナット部材と、を備えてなり、前記移動係止部材の前端部分に２以上の形状の異なる係止凹部が形成されていることを特徴とするリールシート。
【請求項２】
竿側に固定係止部材を配置し且つ手元側に移動係止部材を配置した請求項１記載のリールシート。
【請求項３】
雄ネジ及びナット部材のナットは、移動係止部材に当接して締め付けを行うための前側ナットと、該前側ナットに当接して緩みを防止するための後側ナットと、からなり、これらナットどうしの当接面について、一方の当接面が他方の当接面に対し傾斜させてある請求項１又は請求項２記載のリールシート。
【発明の詳細な説明】
【技術分野】
【０００１】
本発明は、スピニングや両軸受等のリールを釣竿に取り付けるためのリールシートに関し、特に、そのリールシートにおけるリール取付脚の係止構造に関する。
【背景技術】
【０００２】
リールを釣竿に取り付けるための部材として設けられるリールシートは、リールに設けられた“Ｔ”字型の取付脚の両端部を係止させて固定する構造であるが、そのリールの取付脚の厚みや長さがメーカーにより若干異なるため、たとえば特許文献１のような構造のものが開発されている。
【特許文献１】特開２０００−２９５９４８  特許文献１の特に請求項３に係るリールシートは、移動リングに対向して設けられた２つの移動係止部（係止用の凹み＝係止凹部）を有し、この２つの係止凹部の大きさを異ならせることで、異なるサイズの取付脚に対応可能になっている。その移動リングは、本体部の雄ネジ部に回動不能に装着（突起部３１及びレール１０ｂ参照）されるものであり、従って当該移動リングは、一旦雄ネジ部から取り外して１８０°回転させた後に、再び雄ネジ部へ装着することで初めて係止凹部の変更を行える仕組みである。
【０００３】
つまり、従来技術のリールシートでは、移動リングを一旦完全に取り外し、１８０°反転させてからもう一度差し込む作業を経なければ、係止凹部の形状を変更することができず、これが意外と面倒で改善の余地がある。また、その移動リングの回転不能機構（突起部及びレール）があるために、係止凹部の変更には１８０°の回転が必須であり、従って係止凹部は対向させて２つしか設けることができない。
【発明の開示】
【発明が解決しようとする課題】
【０００４】
上記のような従来技術に着目して本発明は、より簡単にリールに応じた係止凹部形状の変更を行え、さらに、２つ以上の形状の異なる係止凹部を設けることができるようなリールシートの係止構造を提案するものである。
【課題を解決するための手段】
【０００５】
本発明のリールシートは、リールの取付脚上面を当接させる平坦面を持つ載置部材と、該載置部材の一端側に設けられ、載置部材の平坦面に当接させた取付脚の一端側を係止し位置決めする固定係止部材と、載置部材の他端側に軸方向スライド可能且つ回動可能に設けられ、載置部材の平坦面に当接させた取付脚の他端側を前端部分で係止する移動係止部材と、該移動係止部材の後端側に設けられて移動係止部材を載置部材へ締め付ける雄ネジ及びナット部材と、を備えてなり、その移動係止部材の前端部分に２以上の形状の異なる係止凹部が形成されていることを特徴とする。
【０００６】
このようなリールシートは、竿側に固定係止部材を配置し且つ手元側に移動係止部材を配置する構成とすると、移動係止部材の操作時に竿が邪魔にならず作業しやすくなるので好ましい。
【０００７】
また、雄ネジ及びナット部材のナットは、移動係止部材に当接して締め付けを行うための前側ナットと、該前側ナットに当接して緩みを防止するための後側ナットと、の２組式とし、これらナットどうしの当接面について、一方の当接面が他方の当接面に対し傾斜させてあるものとすると良い。当接面を傾斜させることで、締め付けた後側ナットが雄ネジに対し傾いで留まることになり、緩み止めの力がより良好に働くことになる。
【発明の効果】
【０００８】
本発明のリールシートによれば、移動係止部材を回動可能に設けたことにより、当該移動係止部材は取り外すことなく回転させることができ、そのまま係止凹部を変更することができる。このような移動係止部材は、雄ネジ及びナット部材による締め付けで回転が防止されるが、締め付け後に若干移動係止部材が回転したとしても、載置部平坦面と取付脚上面との面での当接によりがたつきが抑制されているので、リールのぐらつきは防がれる。
【０００９】
このように本発明によれば、移動係止部材を回転させるだけの簡単な作業で係止凹部の形状を変更することができ、加えて、従来の回転不能機構が無く、その回転角に制限がないので、３つや４つの形状の異なる係止凹部を設けることも可能である。
【発明を実施するための最良の形態】
【００１０】
図１〜図４に、本発明の実施例を示し説明する。
【００１１】
本例のリールシート１は、リールＲの取付脚Ｒ１を当接させ支持するための載置部材２と、この載置部材２の一端側である竿側に設けられ、取付脚Ｒ１の端部を係止して位置決めする固定係止部材３と、載置部材２の他端側である手元側に軸方向スライド可能且つ回動可能に（矢示Ａ，Ｂ）設けられ、取付脚Ｒ１の端部を前端部分で係止する移動係止部材４と、この移動部材４の後端部に当接して押圧し、移動部材４を載置部材２へ締め付ける雄ネジ及びナット部材５と、を備えている。
【００１２】
載置部材２は、リールＲの取付脚Ｒ１の平坦な上面を当接させる平坦面２ａを持ち、この平坦面２ａによる面支持でリールＲのがたつきが抑制される。すなわち、載置部材２の断面形状は、円の下側１／４ほどを真っ直ぐ切り欠いた形状を呈している。
【００１３】
この載置部材２の平坦面２ａに上面を当接させた取付脚Ｒ１は、その一端側である前側（竿側）端部を固定係止部材３に係止される。固定係止部材３は、載置部材２に接着、螺合等で固定されており、その端部は金属製の係止リング３ａとされ、該係止リング３ａの内側に、平坦面２ａに当接させた取付脚Ｒ１の前端部が挿入されることで係止される。これにより、リールＲの取付位置が決められる。このとき、取付脚Ｒ１の厚みがメーカにより異なるが、その厚みに応じて係止リング３ａ内への挿入長さが変わることで違いは吸収される（図３Ａ，Ｂ参照）。
【００１４】
一方、載置部材２の平坦面２ａに上面を当接させた取付脚Ｒ１の他端側である後側（手元側）端部は、移動係止部材４に係止される。移動係止部材４は、載置部材２の手元側延長部分２ｂを通す貫通孔４ａを中心に有する円筒状であり、これにより、載置部材２に対し、軸方向へスライド可能であり且つ回動可能にして組み付けられている。この移動係止部材４の後端部が、雄ネジ及びナット部材５により前方へ押圧されることにより、移動係止部材４が載置部材２の方へ締め付けられ、取付脚Ｒ１の後端部を係止する。
【００１５】
このような移動係止部材４の前端部分は金属製の係止リング４ｂとされ、この係止リング４ｂの内面に、２つの異なる形状の係止凹部４ｃ，４ｄが１８０°（その他の角度も勿論可能）の間隔で凹設されている（図２及び図３）。本例では、第１の係止凹部４ｃが深く、第２の係止凹部４ｄが浅いものとしてあり、取付脚Ｒ１の形状の違いにあわせて切り替え使用することができる（図示の場合、図３Ａが厚い取付脚Ｒ１の例、図３Ｂが薄い取付脚Ｒ１の例）。その切り替えに際しては、雄ネジ及びナット部材５を緩めて移動係止部材４を、取付脚Ｒ１にかからない位置まで若干（おおよそ１ｃｍほど）後退させ、そこで１８０°回転させて係止凹部４ｃ，４ｄの何れかに切り替えれば済む。すなわち、従来のように移動リングを一度完全に取り外すような必要が無く、格段に作業が簡単で速い。
【００１６】
この移動係止部材４の締め付け固定を担当する雄ネジ及びナット部材５は、本例の場合、載置部材２の延長部分２ｂにねじ切りした雄ネジ部５ａと、該雄ネジ部５ａに螺合するナット部５ｂと、から構成されている。さらにナット部５ｂは、移動係止部材４に当接して締め付けを行う前側ナット５ｃと、該前側ナット５ｃに当接して緩み止めを行う後側ナット５ｄと、から構成される。
【００１７】
そのナット部５ｂをなす後側ナット５ｄが前側ナット５ｃと当接する当接面５ｅは、図４に示す通り、前側ナット５ｃの当接面に対し所定の角度傾斜させてある。従って、前側ナット５ｃを移動係止部材４に対し締め付けた後、該前側ナット５ｃに対し後側ナット５ｄを締め付けると、後側ナット５ｄが当接面５ｅの傾斜の影響で雄ネジ部５ａに対して傾いで留まることになり、緩み止めの力が非常に強くなる。
【００１８】
図５及び図６に、移動係止部材の他の実施例を示している。
【００１９】
この例の移動係止部材４０は、上記実施例同様に載置部材２の延長部分２ｂを通す貫通孔４１を中心に持つ円筒状で、その前端部分が金属製の係止リング４２とされている。そして、この係止リング４２には、１２０°の等間隔で３つの形状の異なる係止凹部４３，４４，４５が凹設されている。本例の場合、第１の係止凹部４３が最も深く、次いで第２の係止凹部４４、第３の係止凹部４５の順で浅くなっており、取付脚Ｒ１の違いにあわせて切り替え使用できるようにしてある（図６Ａが最も厚い例、図６Ｂがその次に厚い例、図６Ｃが最も薄い例）。
【００２０】
このように、従来の回転不能機構が不要なため、本発明の移動係止部材には回転角に制限が無く、３つ以上の異形の係止凹部を自在に形成することが可能である。
【図面の簡単な説明】
【００２１】
【図１】本発明に係るリールシートの実施例を示した側面図。
【図２】本発明に係るリールシートの移動係止部材の具体例を示した斜視図。
【図３】図２の移動係止部材の切り替え状態を説明する断面図。
【図４】図１の雄ネジ及びナット部材の緩み止め機能を説明する側面図。
【図５】本発明に係るリールシートの移動係止部材の他の例を示した斜視図。
【図６】図５の移動係止部材の切り替え状態を説明する断面図。
【符号の説明】
【００２２】
１  リールシート
２  載置部材
２ａ  平坦面
３  固定係止部材
４，４０  移動係止部材
４ｃ，４ｄ，４３，４４，４５  係止凹部
５  雄ネジ及びナット部材
５ｃ  前側ナット
５ｄ  後側ナット
Ｒ１  取付脚
【図１】
2006094719.tif 000003
【図２】
2006094719.tif 000004
【図３】
2006094719.tif 000005
【図４】
2006094719.tif 000006
【図５】
2006094719.tif 000007
【図６】
2006094719.tif 000008